(57)【特許請求の範囲】
【請求項１】
人体当接面を有するマッサージ装置本体と、前記人体当接面に当接させられる人体のマッサージ部位に対応させて前記人体当接面に設けられた複数のマッサージ手段と、前記複数のマッサージ手段を所定のコースに従って順番に作動制御させて、複数の前記マッサージ部位を順にマッサージさせる制御手段と、前記コースの一部のマッサージ手段の作動をキャンセルさせるキャンセル手段とを備えると共に、前記コースは複数設けられていると共に前記複数のマッサージ手段の一連の作動制御を繰り返し実行するマッサージ装置であって、
前記制御手段は、複数のコースのいずれかで一部のマッサージ手段の作動が前記キャンセル手段でキャンセルされたとき、前記複数のマッサージ手段の一連の作動制御の繰り返しにおいて前記キャンセルされたマッサージ手段によるマッサージの作動を自動的にキャンセルすると共に、前記残りのコースに前記キャンセルされたマッサージ手段によるマッサージの作動がある場合、前記残りのコースでもキャンセルされたマッサージ手段の作動をキャンセルさせることを特徴とするマッサージ装置。
【請求項２】
人体当接面を有するマッサージ装置本体と、前記人体当接面に当接させられる人体のマッサージ部位に対応させて前記人体当接面に設けられた複数のマッサージ手段と、前記複数のマッサージ手段を所定のコースに従って順番に作動制御させて、複数の前記マッサージ部位を順にマッサージさせる制御手段と、前記コースの一部のマッサージ手段の作動をキャンセルさせるキャンセル手段とを備えると共に、前記コースは複数設けられていると共に前記複数のマッサージ手段の一連の作動制御を繰り返し実行するマッサージ装置であって、
前記制御手段は、前記複数のコースのいずれかに従って前記複数のマッサージ手段を順番に作動制御している際に、キャンセル手段からのキャンセル信号が入力されたとき、該キャンセル信号が入力されたときに作動させているマッサージ手段の作動をキャンセルさせる様に設定されていると共に、前記複数のマッサージ手段の一連の作動制御の繰り返しにおいて前記キャンセルされたマッサージ手段によるマッサージの作動を自動的にキャンセルし、前記残りのコースに前記キャンセルされたマッサージ手段によるマッサージの作動がある場合、前記残りのコースでもキャンセルされたマッサージ手段の作動をキャンセルさせることを特徴とするマッサージ装置。
【発明の詳細な説明】
【０００１】
【発明の属する技術分野】
この発明は、複数のマッサージ手段を所定のマッサージコースに従って順番に作動制御させて、人体のマッサージ部位を順にマッサージさせるモードを有するマッサージ装置に関するものである。
【０００２】
【従来の技術】
この種のマッサージ装置としては、例えば人体の首部，肩部，背中部，腰部，臀部，大腿部，脚部・・・等の一部又は全部のマッサージ順を予め設定しておいて、この設定順にエアバッグ等のマッサージ手段でマッサージするマッサージコースを設けたものが種々考えられている。
【０００３】
この様なマッサージのコースとしては、例えば上半身をマッサージする上半身マッサージコースや全身をマッサージする全身マッサージコース等が考えられる。この上半身コースでは、例えば首部，肩部，背中部，腰部等のマッサージを設定された順に繰り返しマッサージする様にすることが考えられる。
【０００４】
【発明が解決しようとする課題】
ところで、例えば、上半身マッサージコースにおいて、首部が痛くて、この首部のマッサージをしたくない場合もある。
【０００５】
しかしながら、従来のマッサージ装置では、設定されたマッサージコースの中の一部をキャンセルする手段がなく、このキャンセルしたい部分が例えば首部のマッサージである場合、最初からマッサージコースの設定をし直す必要があり、面倒であった。
【０００６】
そこで、この発明は、設定されたマッサージコースの中の一部を簡易且つ迅速にキャンセルすることができるマッサージ装置を提供することを目的とするものである。
【０００７】
【課 題を解決するための手段】
この目的を達成するため、この発明は、人体当接面を有するマッサージ装置本体と、前記人体当接面に当接させられる人体のマッサージ部位に対応させて前記人体当接面に設けられた複数のマッサージ手段と、前記複数のマッサージ手段を所定のコースに従って順番に作動制御させて、複数の前記マッサージ部位を順にマッサージさせる制御手段と、前記コースの一部のマッサージ手段の作動をキャンセルさせるキャンセル手段とを備えると共に、前記コースは複数設けられていると共に前記複数のマッサージ手段の一連の作動制御を繰り返し実行するマッサージ装置であって、前記制御手段は、複数のコースのいずれかで一部のマッサージ手段の作動が前記キャンセル手段でキャンセルされたとき、前記複数のマッサージ手段の一連の作動制御の繰り返しにおいて前記キャンセルされたマッサージ手段によるマッサージの作動を自動的にキャンセルすると共に、前記残りのコースに前記キャンセルされたマッサージ手段によるマッサージの作動がある場合、前記残りのコースでもキャンセルされたマッサージ手段の作動をキャンセルさせるマッサージ装置としたことを特徴とする。
【０００８】
【発明の実施の形態】
以下、この発明の実施の形態を図面に基づいて説明する。
【０００９】
図１は、この発明のマッサージ装置の一例とエア式のマッサージ椅子を示したものである。
【００１０】
図１において、１はマッサージ椅子、２はマッサージ椅子１の前側に配設された足載せ台である。このマッサージ椅子１は、座部（シートクッション）３と、座部３の後縁部に装着された背もたれ（シートバック）４と、座部３の両側に配置された肘掛け５を有する。
【００１１】
この座部３の上面３ａは人体当接面として用いられ、背もたれ４の前面４ａは人体当接面として用いられる。また、脚載せ台２の上面の左右の部分には、前後に延びる半円状の凹部２ａ，２ａが人体当接面として形成されている。
【００１２】
尚、マッサージ椅子１に着座して利用する利用者の人体の内上半身の背中側は背もたれ４の前面に当接させられ、この人体の臀部及び左右の足（脚）の一部である大腿部は座部３の上面３ａに当接させられ、人体の左右の足の一部である脹ら脛部は脚載せ台２の凹部２ａ，２ａに当接させられる様になっている。
【００１３】
また、背もたれ４の前面４ａ側には、利用者の人体の首部をマッサージさせるエアバッグ６、人体の肩部をマッサージさせるエアバッグ７、人体の背中部をマッサージさせるエアバッグ８、及び、人体の腰部をマッサージさせるエアバッグ９がマッサージ手段として取り付けられている。このエアバッグ６，７，８，９は、背もたれ４に上から下に向けて間隔をおいて順に配置されている。
【００１４】
このエアバッグ６はマッサージ椅子１に着座して利用する利用者の人体の首部（マッサージ部位）に対応させられ、エアバッグ７はマッサージ椅子１に着座して利用する利用者の人体の肩部（マッサージ部位）に対応させられ、エアバッグ８はマッサージ椅子１に着座して利用する利用者の人体の背中部（マッサージ部位）に対応させられ、エアバッグ９はマッサージ椅子１に着座して利用する利用者の人体の腰部（マッサージ部位）に対応させられる様になっている。
【００１５】
また、座部３の上面３ａ側には、人体の臀部をマッサージするエアバッグ１０と、人の大腿部をマッサージするエアバッグ１１がマッサージ手段として設けられている。このエアバッグ１０は座部３の後部側に配置され、エアバッグ１１は座部３の前部側に配置されている。しかも、エアバッグ１０はマッサージ椅子１に着座して利用する利用者の人体の臀部（マッサージ部位）に対応させられ、エアバッグ１１はマッサージ椅子１に着座して利用する利用者の人体の大腿部（マッサージ部位）に対応させられている。
【００１６】
更に、各凹部２ａの上部側には人体の足（脚）の脹ら脛部（マッサージ部位）をマッサージするエアバッグ１２，１２が対応して取り付けられている。
【００１７】
また、肘掛け５，５の一方の上面には、操作パネル１３が設けられている。この操作パネル１３には、図２に示したように、電源スイッチ１４と、コースＡ（上半身マッサージコース）用のスイッチ（操作ボタン）１５と、コースＢ（全身マッサージコース）用のスイッチ（操作ボタン）１６が設けられている。
【００１８】
このコースＡ（上半身マッサージコース）では、首部，肩部，背中部，腰部等のマッサージ部位が順にマッサージされる。
【００１９】
また、コースＢ（全身マッサージコース）では、首部，肩部，背中部，腰部，臀部，大腿部，脹ら脛部等のマッサージ部位が順にマッサージされる。尚、各コースのマッサージ順やマッサージ部位は上述した部位や順序に限定されるものではない。
【００２０】
更に、操作パネル１３には、マッサージコースの一部のマッサージをキャンセルさせるためのスイッチ（操作ボタン）１７と、スイッチ１７によりキャンセルされたマッサージを復帰させるスイッチ（操作ボタン）１８が設けられている。
【００２１】
尚、図示は省略したが、操作パネル１３には、人体のマッサージ部位を個別にマッサージするスイッチ（操作ボタン）や、人体のマッサージ部位を任意に選択してマッサージコースを設定するスイッチ（操作ボタン）が設けられる。
【００２２】
そして、操作パネル１３のスイッチ１４〜１８は図３に示した制御手段としての演算制御回路（演算制御手段）１９に接続されている。この演算制御回路１９は、エア供給手段（エア供給源）としてのエアコンプレッサ２０を作動制御すると共に、このエアコンプレッサ２０のエア吐出口に接続されたエア分配装置（エア分配手段）としてのロータリーバルブ２１を作動制御するようになっている。
【００２３】
また、ロータリーバルブ２１は、エアコンプレッサ２０から吐出されるエアをエアバッグ６〜１２に選択的に供給する一方、エアバッグ６〜１２のエアを選択的に大気に排気するようになっている。このロータリーバルブ２１の構成としては周知のものが採用できるので、その詳細な説明は省略する。
【００２４】
次に、この様な構成のマッサージ椅子１の作用を説明する。
【００２５】
このマッサージ椅子１の利用者は、マッサージ椅子１に着座すると共に、脚の脹ら脛部を脚載せ台２の凹部２ａ，２ａ上に載せる。この状態で、操作パネル１３の電源スイッチ１４をＯＮさせて、演算制御回路１９を動作させる。
【００２６】
そして、演算制御回路１９は、スイッチ１５をＯＮさせると、コースＡ（上半身マッサージコース）のマッサージを開始させる。このコースＡにおいて演算制御回路１９は、エアコンプレッサ２０を作動させると共に、ロータリーバルブ２１を作動制御して、エアバッグ６，７，８，９を順に膨張・収縮させる。この様な一連の膨張・収縮動作により、図４のステップＳ１〜Ｓ４で示したように、首部，肩部，背中部，腰部等のマッサージ部位が順にマッサージされる。この様な一連のマッサージのコースは、演算制御回路１９により繰り返し行われる。
【００２７】
また、演算制御回路１９は、スイッチ１６をＯＮさせると、コースＢ（全身マッサージコース）のマッサージを開始させる。このコースＢにおいて演算制御回路１９は、エアコンプレッサ２０を作動させると共に、ロータリーバルブ２１を作動制御して、エアバッグ６，７，８，９，１０，１１，１２を順に膨張収縮させる。この様な一連の膨張・収縮動作により、図５のステップＳ１〜Ｓ７で示したように、首部，肩部，背中部，腰部，臀部，大腿部，脹ら脛部等のマッサージ部位が順にマッサージされる。この様な一連のマッサージのコースは、演算制御回路１９により繰り返し行われる。
【００２８】
この様なマッサージのコースＡ，Ｂのうち例えばコースＡにおいて、エアバッグ８が膨張して、エアバッグ８により背中部を押圧するマッサージが行われた際に、背中が痛んだり或いは不快感を感じたとき、利用者はキャンセルスイッチ１７を押して、キャンセルスイッチ１７からのキャンセル信号を演算制御回路１９に入力する。これにより、演算制御回路１９は、エアバッグ８による背中部のマッサージを中止し、エアバッグ８のエアをロータリーバルブ２１を介して排気させる。
【００２９】
この操作により演算制御回路８は、２回目以降の一連のコースのマッサージに際し、ロータリーバルブ２１を作動制御して、エアバッグ６，７，９を順に膨張収縮させ、図６のステップＳ１，Ｓ２の首部、肩部のマッサージを実行させた後、ステップＳ３の背中部のマッサージを飛ばして、ステップＳ４の腰部のマッサージを行わせる。
【００３０】
また、この様にしてマッサージのコースＡでキャンセルされたマッサージ部位は、コースＢにも反映される様になっている。
【００３１】
例えば、コースＡにおいて上述したように背中部のマッサージがキャンセルされた場合、演算制御回路１９はコースＢにおいても背中部以外の一連のマッサージ部位（首部，肩部，腰部，臀部，大腿部，脹ら脛部）のマッサージを実行する。即ち、演算制御回路８は、一連のコースのマッサージに際し、ロータリーバルブ２１を作動制御して、エアバッグ６，７，９〜１２を順に膨張収縮させ、図６のステップＳ１，Ｓ２の首部、肩部のマッサージを実行させた後、ステップＳ３の背中部のマッサージを飛ばして、ステップＳ４〜Ｓ７の腰部，臀部，大腿部，脹ら脛部のマッサージを行わせる。
【００３２】
この様に一つのコースでキャンセルされたマッサージ部位は他のコースでも演算制御回路１９により自動的にキャンセルされるようにしているので、マッサージコースを変えた場合にキャンセル操作を再度行う必要がない。従って、コースを変えた場合のマッサージ操作の設定が容易である。
【００３３】
この様にしてキャンセルされたマッサージ部位のマッサージを復帰させたい場合には、復帰スイッチ１８をＯＮさせて、復帰信号を演算制御回路１９に入力する。これにより演算制御回路１９は、キャンセルされたマッサージ部位のマッサージを復帰させる。例えば、上述した例では、背中部のマッサージがキャンセルされているが、この背中部のマッサージが復帰させられる。
【００３４】
以上説明したように、この発明の実施の形態のマッサージ装置は、人体当接面（座部３の上面３ａ，背もたれ４の前面４ａ，脚載せ台２の凹部２ａ，２ａ）を有するマッサージ装置本体（マッサージ椅子１や脚載せ台２）と、前記人体当接面に当接させられる人体のマッサージ部位（例えば、首部，肩部，背中部，腰部，臀部，大腿部，脹ら脛部等）に対応させて前記人体当接面（座部３の上面３ａ，背もたれ４の前面４ａ，脚載せ台２の凹部２ａ，２ａ）に設けられた複数のマッサージ手段（エアバッグ６〜１２）と、前記マッサージ手段（エアバッグ６〜１２）を作動制御する制御手段（演算制御回路１９）を備えている。しかも、前記制御手段（演算制御回路１９）は、前記複数のマッサージ手段を所定のコースに従って順番に作動制御させて、前記マッサージ部位を順にマッサージさせるモード（コースＡ、コースＢ）を有する。その上、前記コースの一部のマッサージ手段の作動をキャンセルさせるキャンセル手段（キャンセルスイッチ１７）が設けられている。
【００３５】
この様な発明の実施の形態によれば、キャンセル手段（キャンセルスイッチ１７）の操作のみにより、設定されたマッサージコースの中の一部を簡易且つ迅速にキャンセルすることができる。
【００３６】
また、この発明の実施の形態では、上述した前記制御手段（演算制御回路１９）は、前記所定のコースに従って前記複数のマッサージ手段（エアバッグ６〜１２）を順番に作動制御している際に、キャンセル手段（キャンセルスイッチ１７）からのキャンセル信号が入力されたとき、該キャンセル信号が入力されたときに作動させているマッサージ手段（エアバッグ）の作動をキャンセルさせる様に設定されている。
【００３７】
この構成によれば、コースの場合に順番がどのようになっているか分からない場合でも、マッサージしたくない部分を確実に判断してキャンセルできる。
【００３８】
以上説明した実施例では、この発明を椅子式のエアマッサージ装置に適用した例を示したが、必ずしもこれに限定されるものではない。例えば、この発明をマット式のエアマッサージ装置や機械式のマッサージ装置に適用することもできる。
【００３９】
【発明の効果】
この発明は、以上説明したように構成したので、設定されたマッサージコースの中の一部を簡易且つ迅速にキャンセルすることができる。
【図面の簡単な説明】
【図１】この発明にかかるマッサージ装置の一例を示すマッサージ椅子の斜視図である。
【図２】図１の肘掛けに設けた操作パネルの一例を示す平面図である。
【図３】図１のマッサージ椅子の制御回路図である。
【図４】図３の制御回路によるマッサージコースの一例を示すフローチャートである。
【図５】図３の制御回路によるマッサージコースの他の例を示すフローチャートである。
【図６】図４のマッサージコースのマッサージの一部をキャンセルしたときのフローチャートである。
【図７】図５のマッサージコースのマッサージの一部をキャンセルしたときのフローチャートである。
【符号の説明】
１・・・マッサージ椅子（マッサージ装置本体）
２・・・脚載せ台（マッサージ装置本体）
２ａ・・・凹部（人体当接面）
３・・・座部
３ａ・・・上面（人体当接面）
４・・・背もたれ
４ａ・・・前面（人体当接面）
６〜１２・・・エアバッグ（マッサージ手段）
１９・・・演算制御回路（制御手段）
１７・・・キャンセルスイッチ（キャンセル手段）
【図１】
0004015468.tif 000002
【図２】
0004015468.tif 000003
【図３】
0004015468.tif 000004
【図４】
0004015468.tif 000005
【図５】
0004015468.tif 000006
【図６】
0004015468.tif 000007
【図７】
0004015468.tif 000008